(57)【要約】【課題】本発明は、従来の問題点に鑑みて、弾性係止部材と長尺部材の接触を安定的保持し、弾性係止部材と長尺部材の接触面の清掃度合いを減少させることが可能な引戸のフリーストッパー機構の提供を課題とする。【解決手段】弾性係止部材と長尺部材で構成され、弾性係止部材が揺動自在とされ、弾性係止部材と長尺部材が接触し、該接触による摩擦力によって引戸を停止させるフリーストッパー機構において、長尺部材の弾性係止部材との接触面を長尺部材側から弾性係止部材側に向かって起立する複数の軟質体からなり、弾性係止部材の押圧力の増加によって屈曲し、弾性係止部材の押圧力が減少すると起立状態に戻る軟質摩擦材で形成する。【選択図】図７
2019015114.tif 000002
【特許請求の範囲】
【請求項１】
建物用鉄骨等の建物骨材に固定される引戸枠にレール部材が設けられ、レール部材に引戸が自閉可能に吊り下げられ、引戸を任意の開閉位置で仮保持するフリーストッパー機構を備えた引戸装置であって、主に弾性係止部材と長尺部材で構成されるとともに、弾性係止部材が揺動自在とされ、弾性係止部材と長尺部材が接触し、該接触による摩擦力によって引戸を停止させるフリーストッパー機構において、長尺部材の弾性係止部材との接触面は、長尺部材側から弾性係止部材側に向かって起立する複数の軟質体からなる軟質摩擦材で形成され、軟質摩擦材は、弾性係止部材の押圧力の増加によって屈曲し、弾性係止部材の押圧力が減少すると起立状態に戻ることを特徴とする引戸のフリーストッパー機構。
【請求項２】
軟質摩擦材は、毛状体の集合体とされている事を特徴とする請求項１に記載の引戸のフリーストッパー機構。
【請求項３】
引戸装置の戸袋側は建物の壁内に設けられるものであって、長尺部材は、該引戸装置の戸袋部にも延伸するとともに、戸袋部にも延伸する着脱可能とされる部材に取り付けられている事を特徴とする請求項１、あるいは請求項２に記載の引戸のフリーストッパー機構。
【発明の詳細な説明】
【技術分野】
【０００１】
本発明は、建物用鉄骨に固定される引戸枠にレール部材が設けられ、レール部材に引戸が自閉可能に吊り下げられ、引戸が任意の位置で停止可能な引戸のフリーストッパー機構に関するものである。
【背景技術】
【０００２】
自閉機能を有する引戸には、任意の閉鎖位置で引戸を停止させるフリーストッパー機構等を有しているものがある。
従来のフリーストッパー機構は、引戸の扉とともに移動可能且つ揺動可能に弾性係止部材を軸支し、弾性係止部材を弾性係止部材の自重により、レールと平行に配備した長尺部材に接触させ、弾性係止部材と長尺部材の摩擦によって、引戸を停止させ、弾性係止部材が転動することによって、引戸の停止状態を解除するものである（例えば、特許文献１参照。）。
しかしながら、このようなフリーストッパー機構の場合、弾性係止部材は長尺部材の接触面に決まった状態で面接触するだけなので、長尺部材の接触面に埃や引戸扉の摺動に係る部材に塗布されているグリスなどのオイル類が付着すると、摩擦力が低下し、停止機能が働かないことがあった。そのため、接触面の定期的な清掃が必要で手間がかかっていた。
【先行技術文献】
【特許文献】
【０００３】
【特許文献１】特許第２６８３３２１号公報
【発明の概要】
【発明が解決しようとする課題】
【０００４】
本発明は、従来の問題点に鑑みて、弾性係止部材と長尺部材の接触を安定的保持し、弾性係止部材と長尺部材の接触面の清掃度合いを減少させることが可能な引戸のフリーストッパー機構の提供を課題とする。
【課題を解決するための手段】
【０００５】
そこで、上記課題を解決する為、本発明が第１の手段として構成したところは、建物用鉄骨等の建物骨材に固定される引戸枠にレール部材が設けられ、レール部材に引戸が自閉可能に吊り下げられ、引戸を任意の開閉位置で仮保持するフリーストッパー機構を備えた引戸装置であって、主に弾性係止部材と長尺部材で構成されるとともに、弾性係止部材が揺動自在とされ、弾性係止部材と長尺部材が接触し、該接触による摩擦力によって引戸を停止させるフリーストッパー機構において、長尺部材の弾性係止部材との接触面は、長尺部材側から弾性係止部材側に向かって起立する複数の軟質体からなる軟質摩擦材で形成され、軟質摩擦材は、弾性係止部材の押圧力の増加によって屈曲し、弾性係止部材の押圧力が減少すると起立状態に戻るものである。
【０００６】
次に、本発明が第２の手段として構成したところは、第１の手段として構成したところに加え、軟質摩擦材は、毛状体の集合体とされるものである。
【０００７】
次に、本発明が第３の手段として構成したところは、第１の手段、あるいは、第２の手段として構成したところに加え、引戸装置の戸袋側は建物の壁内に設けられるものであって、長尺部材は、該引戸装置の戸袋部にも延伸するとともに、戸袋部にも延伸する着脱可能とされる部材に取り付けられているものである。
【発明の効果】
【０００８】
請求項１に記載の発明によると、軟質摩擦材は、複数の軟質体からなり、長尺部材側から弾性係止部材側に向かって起立し、弾性係止部材の押圧力の増加によって屈曲するので、引戸の開閉に合わせて弾性係止部材が軟質摩擦材上を通過すると、通過時に弾性係止部材と接触する軟質摩擦材は起立の先端が屈曲するため、引戸の開閉に支障が出ない。
そして、引戸の開閉を一時停止したとき、弾性係止部材には引戸が閉止する力が加わり押圧力が増加するので、軟質摩擦材はより屈曲し、屈曲した軟質摩擦材は起立状態に戻るため、弾性係止部材の押圧力がかかっていない部分の軟質摩擦材は起立状態となり、軟質摩擦材に弾性係止部材が沈み込むことにより弾性係止部材の移動が阻止可能である。
また、軟質摩擦材が、複数の軟質体によって形成され、複数の軟質体それぞれが屈曲して弾性係止部材に接触しているため、弾性係止部材と軟質摩擦材は決まった面接触とはならないので、埃やチリや油分などの影響を抑えることが可能である。
【０００９】
請求項２に記載の発明によると、軟質摩擦材は、柔軟な毛状の集合体である毛状部材で、毛状部材各々の屈曲がし易いため、引戸の開閉を一時停止時の軟質摩擦材への弾性係止部材が沈み込みがし易いため、安定的に弾性係止部材の移動を阻止できる。また、毛状の密度や毛足長さ、毛の太さを変えることによって、摩擦力を調節することが容易である。
【００１０】
請求項３に記載の発明によると、戸袋側が建物の壁内に設けられるものは、戸袋部には手が入りづらいため、長尺部材を戸袋部にも延伸する着脱可能とされる部材に取り付けると軟質摩擦材の消耗時に軟質摩擦材の交換が可能である。
【図面の簡単な説明】
【００１１】
【図１】本発明の室内側（点検側）からの正面図
【図２】化粧ボードと、室内側下地パネルを取外した状態での本発明の室内側からの正面図
【図３】図１のＡ―Ａ線拡大断面図
【図４】図２のＢ部拡大図
【図５】長尺部材の他の取付方法を示す説明図
【図６】弾性係止部材と長尺部材の引戸閉止時の接触部分を示す正面説明図
【図７】引戸が開放移動時の弾性係止部材と長尺部材の接触部分を示す正面説明図
【図８】引戸が仮保持された状態の弾性係止部材と長尺部材の接触部分を示す正面説明図
【発明を実施するための形態】
【００１２】
建物用鉄骨等の建物骨材に固定される引戸枠にレール部材を設け、レール部材に引戸を自閉可能に吊り下げ、引戸を任意の開閉位置で仮保持するフリーストッパー機構を備えた引戸装置の、弾性係止部材と長尺部材で構成されるとともに、弾性係止部材が揺動自在とされ、弾性係止部材と長尺部材が接触し、該接触による摩擦力によって引戸を停止させるフリーストッパー機構において、長尺部材の弾性係止部材との接触面を、長尺部材側から弾性係止部材側に向かって起立する複数の軟質体からなる軟質摩擦材とし、軟質摩擦材を、弾性係止部材の押圧力の増加によって屈曲し、弾性係止部材の押圧力が減少すると起立状態に戻る毛状体の集合体で形成し、長尺部材を、着脱自在部材に取り付ける。
【００１３】
以下、第１実施例を添付図面に基づいて詳述する。
図１において、符号１は引戸枠を示している。引戸枠１は、建物用鉄骨にブラケットを介して固定された戸尻側縦枠１３および戸先側縦枠１４と、戸尻側縦枠１３と戸先側縦枠１４の上端間に、建物用鉄骨にブラケットを介して配設された上枠１５より門形に形成されている。
【００１４】
そして、戸尻側縦枠１３と戸先側縦枠１４間で、上枠１５の室内側（実施例では点検側、いわゆる、引戸等の吊り込み側）と室外側の両面に上端が固定され、下端部が床面に埋め込まれた室内側中枠３と室外側中枠３０が、室内側と室外側に所定間隔を有して配設されている。
尚、便宜上、一方側を室内側、他方側を室外側として説明しているが、いわゆる、引戸等の吊り込み側（メンテネンス等の点検側となる）が、室内側、室外側のいずれであっても良いことは云うまでもない。
以下、戸尻側縦枠１３と室内側中枠３、あるいは、室外側中枠３０間を戸袋側、戸先側縦枠１４と室内側中枠３、あるいは、室外側中枠３０間を出入口側と云う。
【００１５】
図２、図３において、符号２は、上枠１５の室外側内面にネジ止め連結されているレール取付材を示している。
符号６は、レール部材５に吊り下げられた引戸を示し、符号１６は、点検、固定両戸袋側の床面全幅にわたって固定されたベース材を示し、符号１６４は、ベース材１６の出入口側端部に、ガイドローラー１７が回転自在に設けられ、 室外側中枠３０、室内側中枠３間でやや出入口側に突出して取り付けられたガイドローラー取付部材を示している。
図１、図２において、符号４・・・は、戸袋室内側及び戸袋室外側の両面上下方向に所定間隔を有して配設された下地桟を示している。
図３において符号７は、上枠１５の点検出入口側に取り付けられる室内側化粧突部を示し、符号１９は、上枠１５の固定出入口側に設けられる室外側ランマ下地パネルを示し、符号７０は、引戸等の吊り込みやメンテネンス等の点検を行う際に取り外されるメンテナンスパネルを示している。
【００１６】
そして、上記引戸枠１（レール部材５が取り付けられたレール取付材２を含む。）、ベース材１６、室内側中枠３、室外側中枠３０、下地桟４・・・、室外側ランマ下地パネル１９、室内側化粧突部７が、内装仕上げ（化粧ボード１００、１０１、クロス等の貼り付け）の行われるまでに施工され、内装仕上げが終了した後、引戸６がレール部材５に吊り込まれ、引戸６の摺動確認、閉鎖スピードの調整作業、レール取付材２の連結固定、ブレーキ装置５４、フリーストッパー装置９の取り付け等が行われ、メンテナンスパネル７０がネジにて着脱自在に取り付けられる。
その後、戸先側縦枠１４と室内側中枠３、室外側中枠３０間の出入口側の開口部、メンテナンスパネル７０部などを残して、化粧ボード１００、１０１、クロス等の貼り付けが行われる。    
戸袋側においても、化粧ボード１００が下地桟４の表面に貼られ、開放された引戸入り込む戸袋部は建物の壁内に設けられることとなる。
【００１７】
レール取付材２は、図２、図３に示すように、レール部材５が室内側に連結され、上枠１５の垂直面の室内側に、開口側から戸袋側に向かって上昇するように傾斜が付けられ取り付けられている。
【００１８】
レール取付材２に配設されるレール部材５は、図３に示すように、断面略Ｃ字形で、レール取付材２よりやや短長のレール補強部材５０と、レール補強部材５０の室内側にネジ止め連結される断面略Ｃ字形でレール補強部材５０とほぼ同長の室外側メンバー５１と、室外側メンバー５１の略３分の２程度の長さのボールリテーナに回転自在に保持されたボールを介して、室外側メンバー５１に摺動自在に保持される、室外側メンバーの略３分の１程度の長さの移動側メンバー５２より構成されるスライドレールであって、移動側メンバー５２の室内側には、移動側メンバー５２と同程度の長さの吊り下げ用金具５３が固着されている。
【００１９】
そして、レール補強部材５０は、レール取付材２のレール部材５との当接垂直面２２の引戸６の開閉方向に所定間隔を有して設けられた複数個の係止孔（図示せず。）・・・に戸先側から係合する、戸尻側が開口する複数個の係止爪５０１を有している。
レール部材５は上記のように構成され、係止孔・・・に係止爪５０１・・・を対応させた状態で、戸尻側方向にスライドさせて、係止爪５０１・・・を係止孔・・・に係合させ、レール部材５前端位置でレール部取付２の戸先側下方から戻り止めネジを螺合して、レール部材５が戸先側に移動するのを防止し、レール取付材２に取り付けられる。
【００２０】
吊り下げ用金具５３に吊り下げボルト挿通孔５５、５５を介して吊り下げられる引戸６は、パネル形状を成し、下部は、下端面の開閉方向に形成された嵌合溝６０によってガイドローラー１７で支持され、移動側メンバー５２の摺動に合わせて開閉方向に摺動自在とされる。
符号３００は（図１、図２に示す。）、引戸６の戸先側端部で、室内側（点検側）、室外側（固定側）に設けられた取手を示している。
【００２１】
図３、図４に示すように、フリーストッパー装置９０は、主に弾性係止部材９１と、弾性係止部材９１の上端部を回動自在に保持する支持部材９０１よりなり、支持部材９０１はストッパー連結金具９０２とネジ止め連結され、ストッパー連結金具９２は、吊り下げ金具５３の垂下面の室内側壁に連結ネジにて連結される。
符号８０は、レール補強部材５０の上面の開閉方向に配設され、傾斜状態の弾性係止部材９１の下端部が当接する長尺部材を示しており、フリーストッパー装置９０と長尺部材８０によってフリーストッパー機構９は構成されている。
【００２２】
長尺部材８０は、弾性係止部材９１から戸袋側で、弾性係止部材９１の移動長に合わせて長尺とされ、長尺基材８１と軟質摩擦材８２で構成される。
軟質摩擦材８２は、毛状の軟質材を複数集合させたものであって、長尺部材８０は毛状体を集合させたいわゆるモヘアである。
長尺部材８０は、長尺基材８１をレール補強部材５０の上面に両面テープなどの接着材で取り付ける。図５に示すように、レール補強部材５０の上面に、係合溝５０ａを設け、基部８２ａを係合溝５０ａの端面から差し入れる方法でもよい。この場合、係合溝５０ａ差し入れ口から基部８２ａが出てこないように、端部に封をする必要がある。
【００２３】
フリーストッパー装置９０の弾性係止部材９１は、下端が円弧状を成す円弧状部９１ａが形成され、支持部材９０１に固定される支軸９０２にて回動自在とされ、円弧状部９１ａが下方になるように弾性係止部材９１に取り付けられた錘９１２を含む弾性係止部材９１の自重によって付勢されている。
そして、弾性係止部材９１の揺動中心（支軸９０２の中心）と揺動中心から下方に最も遠い位置にある先端側端面までの寸法が、揺動中心から長尺基材８１までの寸法よりやや大きくなる正面視略楕円形で下端部は前記の通り円弧状で、所定の弾性（弾性圧縮変形可能な性質）と摩擦係数を有する材質（実施例ではゴム材）より形成される。
【００２４】
弾性係止部材９１は、通常、円弧状部９１ａが軟質摩擦材８２に接触しており、引戸６が閉止されている状態では、弾性係止部材９１は、支軸９０２から下方部（円弧状部９１ａ）が引戸後（戸袋側）方向へ傾斜した状態となっている。この時、円弧状部９１ａと接触している軟質摩擦材８２は、弾性係止部材９１の自重による押圧力で、毛状体の先端部付近が屈曲しており、軟質摩擦材８２に弾性係止部材９１の円弧状部９１ａが沈み込んでいるような状態となっている（図６の状態）。
【００２５】
この状態から引戸６に開放方向への力を加えると、弾性係止部材９１は軟質摩擦材８２の摩擦により、弾性係止部材９１の弾性に抗して支軸９０２を中心として回転し、引戸６の移動と相反する方向、即ち、弾性係止部材９１は、支軸９０２から下方部（円弧状部９１ａ）が引戸前（出入口側）方向へ傾斜した状態となり、弾性係止部材９１の自重による押圧力で、軟質摩擦材８２の毛状体の先端部付近が屈曲した状態で引戸６は開放方向へ摺動する（図７の状態）。
【００２６】
そして、引戸６の開放方向への力を解除すると、引戸６は、戸袋側に傾斜して取り付けられているレール部材５によって、上昇しながら戸袋側に走行しているので、引戸６の自重によって自動的に閉止する方向への走行を開始する。そして、この時、弾性係止部材９１は下方部（円弧状部９１ａ）が引戸前（戸先）方向へ傾斜した状態となっているので、軟質摩擦材８２との摩擦によって引戸６の走行は停止され、引戸６は開放された状態で仮保持される。
【００２７】
この引戸６の走行が停止した状態で、弾性係止部材９１と軟質摩擦材８２の接触面には、弾性係止部材９１の自重による押圧力に加え、引戸６の閉止側への走行力も加わるため、円弧状部９１ａと接触している軟質摩擦材８２は、毛状体の根元付近まで大きく屈曲しており、軟質摩擦材８２に弾性係止部材９１の円弧状部９１ａが大きく沈み込んでいるような状態となっている（図８の状態）。
そのため、弾性係止部材９１と軟質摩擦材８２間の摩擦力が増加し、弾性係止部材９１の移動を止める力が大きくなり、かつ、弾性係止部材９１が移動してきた側の軟質摩擦材８２の複数の毛状体は起立状態に戻っているため、弾性係止部材９１の円弧状部９１ａの引戸前（戸先）移動側面は毛状体の側方より接触するので、毛状体は、上方から押圧される時と違い、大きく屈曲することがなく、弾性係止部材９１の移動を止める力が大きくなる。
【００２８】
したがって、該停止状態で、弾性係止部材９１と軟質摩擦材８０に多少の埃やチリ、オイルなどの摩擦力を低下させる物質が付着しても、毛状体が複数あるので、該物質は、毛状体の間に落ちるため摩擦力が低下しにくい。また、弾性係止部材９１が毛状体の側方からも接触するので、毛状体との接触による摩擦力だけではなく、毛状体の弾性力を利用して弾性係止部材９１を止めることができるため安定して停止状態を維持できる。
尚、軟質摩擦材８０は、複数の毛状体によるものに限らず、前述のように作用可能な柔軟性があり、屈曲、復元可能なものであればよく、具体的な作用として、弾性係止部材９１の移動に弾性係止部材９１部材の移動を妨げず、引戸６の停止時に引戸６の自重による移動側への走行力が加わった弾性係止部材９１で屈曲し、弾性係止部材９１が軟質摩擦材８０に沈み込むものであればよい。
【００２９】
そして、開放された状態から引戸６を閉止するには、引戸６に閉止方向への力を加えることによって軟質摩擦材８０との摩擦によって停止されている弾性係止部材９１が、弾性係止部材９１の弾性に抗して、支軸９０２を中心として回転し、引戸６の走行方向とは相反する方向、すなわち、弾性係止部材９１の円弧状部９１ａが引戸６の後方向へ傾斜した図６と同様な状態となり、ストッパーが解除され、弾性係止部材９１がこの状態のままで引戸６は閉止方向へ走行し、開口部が閉止される。
この時、弾性係止部材９１の自重による押圧力で、軟質摩擦材８２の毛状体の先端部付近が屈曲した状態で引戸６は閉止方向へ摺動する。
このように、軟質摩擦材８２は、弾性係止部材９１の自重による押圧力でも屈曲可能な軟質体なので、弾性係止部材９１が軟質摩擦材８２に引っかかることないため、引戸６の自動の閉止の妨げにならない。
【００３０】
このように構成されるフリーストッパー機構９の長尺部材８０は、レール部材５の上面に取り付けられており、レール部材５が、着脱可能とされていることから、長尺部材８０の交換可能が可能となる。
長尺部材８０をレール取付材２に対して係合片やマグネットで着脱可能とされた別部材に取り付けて交換可能とする方法でもよいが、一般的にレール部材５はフリーストッパー機構９の有無に係らず着脱可能とされているので、レール部材５に長尺部材８０を貼り付ける方法であれば、特段の部材が不用なためコストが安くできる。
【００３１】
本発明は実施例に限定されるものではなく、実施例ではフリーストッパー機構９のフリーストッパー装置９０を引戸６と共に移動させ、長尺部材８０を不動状態とする構成としているが、例えば、フリーストッパー装置９０を上枠１５側に不動に設置し、レール部材５の上方になるように、長尺部材８０を、金具を介して吊り下げ用金具５３に連結させ、長尺部材８０を引戸６と共に移動させても良い。この場合、弾性係止部材９１の作動状況（揺動方向）は、フリーストッパー装置９０が引戸６と共に移動する場合と逆となる。
また、実施例における引戸６は、スライドレールによって開閉自在とされているが、当然ながら、引戸６の前後上部で滑車にて引戸６を吊持し、引戸６を開閉自在としている滑車式引戸装置でもよい。
【符号の説明】
【００３２】
１        引戸枠
２        レール取付材
５        レール部材
６        引戸
８０      長尺部材
８１      長尺基材
８２      軟質摩擦材
９        フリーストッパー機構
９０      フリーストッパー装置
９１      弾性係止部材
９１ａ    円弧状部
９０２    支軸
【図１】
2019015114.tif 000003
【図２】
2019015114.tif 000004
【図３】
2019015114.tif 000005
【図４】
2019015114.tif 000006
【図５】
2019015114.tif 000007
【図６】
2019015114.tif 000008
【図７】
2019015114.tif 000009
【図８】
2019015114.tif 000010